【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  上シェル及び下シェルを重ね合わせることによって内部にディスク収納室が形成されるカートリッジ筐体と、
上記ディスク収納室の一部を露出させるため上記カートリッジ筐体に設けた開口部を開閉するシャッタ部材と、を備えたディスクカートリッジにおいて、
上記上シェルに位置決め用の一対の第１の位置決め部を設けると共に、上記下シェルに上記一対の第１の位置決め部に対応される位置決め用の一対の第２の位置決め部を設け、
更に、上記上シェル及び上記下シェルの少なくとも一方には、上記カートリッジ筐体をディスク記録再生装置のディスク装着部に位置決めするための一対の基準位置決め部を上記一対の第１の位置決め部及び上記一対の第２の位置決め部と略同軸上に設けた
ことを特徴とするディスクカートリッジ。
【請求項２】  上記一対の第１の位置決め部及び上記一対の第２の位置決め部は、一方の部材が第１の凹部又は第１の凸部であって他方の部材が上記第１の凹部又は上記第１の凸部に嵌合自在とされた第２の凸部又は第２の凹部である
ことを特徴とする請求項１記載のディスクカートリッジ。
【請求項３】  上記一対の基準位置決め部は、一方が円形の穴又は円形の突起であり、他方が長円形の穴又は長円形の突条である
ことを特徴とする請求項１記載のディスクカートリッジ。
【請求項４】  上記シャッタ部材は、上記カートリッジ筐体に回動自在又は摺動自在に支持した
ことを特徴とする請求項１記載のディスクカートリッジ。
【請求項５】  上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室の一部を露出させるため上記カートリッジ筐体に設けた開口部を開閉するシャッタ部材と、を備えたディスクカートリッジにおいて、
上記上シェルに位置決め用の一対の第１の位置決め部を設けると共に、上記下シェルに上記一対の第１の位置決め部に対応される位置決め用の一対の第２の位置決め部を設け、
更に、上記上シェル及び上記下シェルの少なくとも一方には、上記カートリッジ筐体をディスク記録再生装置のディスク装着部に位置決めするための一対の基準位置決め部を上記一対の第１の位置決め部及び上記一対の第２の位置決め部と略同軸上に設けた
ことを特徴とするディスクカートリッジ。
【請求項６】  上記一対の第１の位置決め部及び上記一対の第２の位置決め部は、一方の部材が第１の凹部又は第１の凸部であって他方の部材が上記第１の凹部又は上記第１の凸部に嵌合自在とされた第２の凸部又は第２の凹部である
ことを特徴とする請求項５記載のディスクカートリッジ。
【請求項７】  上記一対の基準位置決め部は、一方が円形の穴又は円形の突起であり、他方が長円形の穴又は長円形の突条である
ことを特徴とする請求項５記載のディスクカートリッジ。
【請求項８】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項５記載のディスクカートリッジ。
【請求項９】  上シェル及び下シェルを重ね合わせることによって内部にディスク収納室が形成されるカートリッジ筐体と、
上記ディスク収納室内に回転自在に収納されると共に上記カートリッジ筐体に設けた開口部から一部が露出されるディスク状記録媒体と、
上記開口部を開閉するシャッタ部材と、を備えたディスク記録媒体装置において、
上記上シェルに位置決め用の一対の第１の位置決め部を設けると共に、上記下シェルに上記一対の第１の位置決め部に対応される位置決め用の一対の第２の位置決め部を設け、
更に、上記上シェル及び上記下シェルの少なくとも一方には、上記カートリッジ筐体をディスク記録再生装置のディスク装着部に位置決めするための一対の基準位置決め部を上記一対の第１の位置決め部及び上記一対の第２の位置決め部と略同軸上に設けた
ことを特徴とするディスク記録媒体装置。
【請求項１０】  上記一対の第１の位置決め部及び上記一対の第２の位置決め部は、一方の部材が第１の凹部又は第１の凸部であって他方の部材が上記第１の凹部又は上記第１の凸部に嵌合自在とされた第２の凸部又は第２の凹部である
ことを特徴とする請求項９記載のディスク記録媒体装置。
【請求項１１】  上記一対の基準位置決め部は、一方が円形の穴又は円形の突起であり、他方が長円形の穴又は長円形の突条である
ことを特徴とする請求項９記載のディスク記録媒体装置。
【請求項１２】  上記シャッタ部材は、上記カートリッジ筐体に回動自在又は摺動自在に支持した
ことを特徴とする請求項９記載のディスク記録媒体装置。
【請求項１３】  上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に回転自在に収納されると共に上記中シェル及び上記上シェル又は上記下シェルに設けた開口部から一部が露出されるディスク状記録媒体と、
上記開口部を開閉するシャッタ部材と、を備えたディスク記録媒体装置において、
上記上シェルに位置決め用の一対の第１の位置決め部を設けると共に、上記下シェルに上記一対の第１の位置決め部に対応される位置決め用の一対の第２の位置決め部を設け、
更に、上記上シェル及び上記下シェルの少なくとも一方には、上記カートリッジ筐体をディスク記録再生装置のディスク装着部に位置決めするための一対の基準位置決め部を上記一対の第１の位置決め部及び上記一対の第２の位置決め部と略同軸上に設けた
ことを特徴とするディスク記録媒体装置。
【請求項１４】  上記一対の第１の位置決め部及び上記一対の第２の位置決め部は、一方の部材が第１の凹部又は第１の凸部であって他方の部材が上記第１の凹部又は上記第１の凸部に嵌合自在とされた第２の凸部又は第２の凹部である
ことを特徴とする請求項１３記載のディスク記録媒体装置。
【請求項１５】  上記一対の基準位置決め部は、一方が円形の穴又は円形の突起であり、他方が長円形の穴又は長円形の突条である
ことを特徴とする請求項１３記載のディスク記録媒体装置。
【請求項１６】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項１３記載のディスク記録媒体装置。
【請求項１７】  カートリッジ筐体に形成されたディスク収納室内にディスク状記録媒体が回転自在に収納されると共に当該ディスク状記録媒体の一部を露出させるため上記カートリッジ筐体に設けた開口部がシャッタ部材によって開閉自在とされたディスク記録媒体装置と、
上記ディスク記録媒体装置の挿脱動作に応じて上記シャッタ部材を移動させて上記開口部を開閉させるシャッタ開閉手段と、
上記ディスク記録媒体装置が着脱可能に装着されると共に当該ディスク記録媒体装置の装着時、上記シャッタ開閉手段で開放された上記開口部から挿入されて上記ディスク状記録媒体をチャッキングして回転駆動するディスクドライブ装置と、を備えたディスク記録再生装置において、
上記カートリッジ筐体は、上シェル及び下シェルを重ね合わせ又は上シェル、中シェル及び下シェルを重ね合わせることによって構成されると共に上シェル及び下シェル内又は上シェル及び中シェル内若しくは中シェル及び下シェル内に上記ディスク収納室が形成され、上記上シェルに位置決め用の一対の第１の位置決め部を設けると共に、上記下シェルに上記一対の第１の位置決め部に対応される位置決め用の一対の第２の位置決め部を設け、
更に、上記上シェル及び上記下シェルの少なくとも一方には、上記カートリッジ筐体をディスク記録再生装置のディスク装着部に位置決めするための一対の基準位置決め部を上記一対の第１の位置決め部及び上記一対の第２の位置決め部と略同軸上に設けた
ことを特徴とするディスク記録再生装置。
【請求項１８】  上記一対の第１の位置決め部及び上記一対の第２の位置決め部は、一方の部材が第１の凹部又は第１の凸部であって他方の部材が上記第１の凹部又は上記第１の凸部に嵌合自在とされた第２の凸部又は第２の凹部である
ことを特徴とする請求項１７記載のディスク記録再生装置。
【請求項１９】  上記一対の基準位置決め部は、一方が円形の穴又は円形の突起であり、他方が長円形の穴又は長円形の突条である
ことを特徴とする請求項１７記載のディスク記録再生装置。
【請求項２０】  上記シャッタ部材は、略半円形とされた２枚のシャッタ部材からなり、上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項１７記載のディスク記録再生装置。
【請求項２１】  上記シャッタ開閉手段はラック部と当該ラック部の前後に配置された凸部とを有し、
上記中シェルは上記ラック部に噛合されるギア部と当該ギア部の前後に配置された凹部とを有し、
上記シャッタ開閉手段の進退運動に基づいて上記中シェルに回転運動を付与するようにした
ことを特徴とする請求項１７記載のディスク記録再生装置。
【手続補正２】
【補正対象書類名】明細書
【補正対象項目名】００１１
【補正方法】変更
【補正の内容】
【００１１】
【課題を解決するための手段】
上述したような課題等を解決し、上記目的を達成するために、本出願のディスクカートリッジは、上シェル及び下シェルを重ね合わせることによって内部にディスク収納室が形成されるカートリッジ筐体と、ディスク収納室の一部を露出させるためカートリッジ筐体に設けた開口部を開閉するシャッタ部材と、を備えたディスクカートリッジにおいて、上シェルに位置決め用の一対の第１の位置決め部を設けると共に、下シェルに一対の第１の位置決め部に対応される位置決め用の一対の第２の位置決め部を設け、更に、上シェル及び下シェルの少なくとも一方には、カートリッジ筐体をディスク記録再生装置のディスク装着部に位置決めするための一対の基準位置決め部を一対の第１の位置決め部及び一対の第２の位置決め部と略同軸上に設けたことを特徴としている。
【手続補正３】
【補正対象書類名】明細書
【補正対象項目名】００１２
【補正方法】変更
【補正の内容】
【００１２】
更に、本出願のディスクカートリッジは、上シェル、中シェル及び下シェルを重ね合わせることによって上シェル及び中シェル内又は中シェル及び下シェル内にディスク収納室が形成されると共に中シェルが上シェル及び下シェルによって回転自在に支持されたカートリッジ筐体と、ディスク収納室の一部を露出させるためカートリッジ筐体に設けた開口部を開閉するシャッタ部材と、を備えたディスクカートリッジにおいて、上シェルに位置決め用の一対の第１の位置決め部を設けると共に、下シェルに一対の第１の位置決め部に対応される位置決め用の一対の第２の位置決め部を設け、更に、上シェル及び下シェルの少なくとも一方には、カートリッジ筐体をディスク記録再生装置のディスク装着部に位置決めするための一対の基準位置決め部を一対の第１の位置決め部及び一対の第２の位置決め部と略同軸上に設けたことを特徴としている。
【手続補正４】
【補正対象書類名】明細書
【補正対象項目名】００１３
【補正方法】変更
【補正の内容】
【００１３】
本出願のディスク記録媒体装置は、上シェル及び下シェルを重ね合わせることによって内部にディスク収納室が形成されるカートリッジ筐体と、ディスク収納室内に回転自在に収納されると共にカートリッジ筐体に設けた開口部から一部が露出されるディスク状記録媒体と、開口部を開閉するシャッタ部材と、を備えたディスク記録媒体装置において、上シェルに位置決め用の一対の第１の位置決め部を設けると共に、下シェルに一対の第１の位置決め部に対応される位置決め用の一対の第２の位置決め部を設け、更に、上シェル及び下シェルの少なくとも一方には、カートリッジ筐体をディスク記録再生装置のディスク装着部に位置決めするための一対の基準位置決め部を一対の第１の位置決め部及び一対の第２の位置決め部と略同軸上に設けたことを特徴としている。
【手続補正５】
【補正対象書類名】明細書
【補正対象項目名】００１４
【補正方法】変更
【補正の内容】
【００１４】
更に、本出願のディスク記録媒体装置は、上シェル、中シェル及び下シェルを重ね合わせることによって上シェル及び中シェル内又は中シェル及び下シェル内にディスク収納室が形成されると共に中シェルが上シェル及び下シェルによって回転自在に支持されたカートリッジ筐体と、ディスク収納室内に回転自在に収納されると共に中シェル及び上シェル又は下シェルに設けた開口部から一部が露出されるディスク状記録媒体と、開口部を開閉するシャッタ部材と、を備えたディスク記録媒体装置において、上シェルに位置決め用の一対の第１の位置決め部を設けると共に、下シェルに一対の第１の位置決め部に対応される位置決め用の一対の第２の位置決め部を設け、更に、上シェル及び下シェルの少なくとも一方には、カートリッジ筐体をディスク記録再生装置のディスク装着部に位置決めするための一対の基準位置決め部を一対の第１の位置決め部及び一対の第２の位置決め部と略同軸上に設けたことを特徴としている。
【手続補正６】
【補正対象書類名】明細書
【補正対象項目名】００１５
【補正方法】変更
【補正の内容】
【００１５】
更に、本出願のディスク記録再生装置は、カートリッジ筐体に形成されたディスク収納室内にディスク状記録媒体が回転自在に収納されると共にディスク状記録媒体の一部を露出させるためカートリッジ筐体に設けた開口部がシャッタ部材によって開閉自在とされたディスク記録媒体装置と、このディスク記録媒体装置の挿脱動作に応じてシャッタ部材を移動させて開口部を開閉させるシャッタ開閉手段と、ディスク記録媒体装置が着脱可能に装着されると共にディスク記録媒体装置の装着時、シャッタ開閉手段で開放された開口部から挿入されてディスク状記録媒体をチャッキングして回転駆動するディスクドライブ装置と、を備えたディスク記録再生装置において、カートリッジ筐体は、上シェル及び下シェルを重ね合わせ又は上シェル、中シェル及び下シェルを重ね合わせることによって構成されると共に上シェル及び下シェル内又は上シェル及び中シェル内若しくは中シェル及び下シェル内にディスク収納室が形成され、上シェルに位置決め用の一対の第１の位置決め部を設けると共に、下シェルに一対の第１の位置決め部に対応される位置決め用の一対の第２の位置決め部を設け、更に、上シェル及び下シェルの少なくとも一方には、カートリッジ筐体をディスク記録再生装置のディスク装着部に位置決めするための一対の基準位置決め部を一対の第１の位置決め部及び一対の第２の位置決め部と略同軸上に設けたことを特徴としている。